(57)【要約】      （修正有）【課題】道路工事などの現場があることを通行人や車輌の運転手に熟知させることによって、交通事故などを回避し、通行及び工事の関係者の生命・身体の安全をはかり、また、この工事現場によって迷惑を蒙る付近の住民などの心を和ませ、工事のイメージアップをはかる。【解決手段】ドラム管の内部に設置した送風機から送り込んだ空気で膨らませる風船人形を装備したり、また、送風機にタイマーを付け、これを操作することによって、送風の停止に応じて頭部を下げ、また、送風の再開に応じて頭部を上げる動作を繰り返す風船人形を装備したり、更に、送風の停止あるいは再開に応じて頭部を上下する動作を繰り返すにあたり、音声を発する風船人形を装備した、クッションドラムという構成からなっている。【選択図】図１
0003141424.tif 000002
【実用新案登録請求の範囲】
【請求項１】
ドラム管の内部に設置した送風機から送り込んだ空気で膨らませる風船人形を装備した、クッションドラム。
【請求項２】
ドラム管の内部に設置した送風機をタイマーの操作により、送風の停止に応じて頭部を下げ、また、送風の再開に応じて頭部を上げる動作を繰り返す風船人形を装備した、クッションドラムを特徴とする請求項１項記載の装置。
【請求項３】
ドラム管の内部に設置した送風機をタイマーの操作により、送風の停止と再開に応じて、頭部を上下する動作を繰り返すときに音声を発する風船人形を装備した、クッションドラムを特徴とする請求項１項記載の装置。
【請求項４】
ドラム管の内部に設置した送風機から送り込んだ空気で膨らませ、また、頭部に内蔵した照明灯によって夜間に頭部を内照させる風船人形を装備した、クッションドラムを特徴とする請求項１項記載の装置。
【考案の詳細な説明】
【技術分野】
【０００１】  この考案は、クッションドラムに風船人形を装備した装置に関するものである。
【背景技術】
【０００２】（イ）道路工事などの現場があって、しかも、それに気付かないで、道路を人や車両が通行すると、交通事故などが起こる原因になる。
（ロ）これによって、通行人や車輌の運転手をはじめ、工事に携わる作業員や警備員などの生命・身体は危険にさらされることになる。
（ロ）そこで、道路工事などの現場があることを通行人や車輌の運転手に認識させることによって、交通事故などを回避する必要がある。
（ロ）そのために、工事現場では、クッションドラムという強化プラスチックを素材としたドラム管が一般的に用いられている。【０００３】（ハ）ところが、このドラム管は、色彩を施しているが、単純な円筒形の容器にすぎないから、素朴でかつ何の趣向もない形態である。
（ニ）したがって、このドラム管は、人目を引き、通行人や運転手の注意を喚起させるものではないし、また、人の心を和ませるものでもない。
【考案の開示】
【考案が解決しようとする課題】
【０００４】  この考案が解決しようする問題点は、次の通りである。
（イ）先ず、道路工事などの現場があることを通行人や車輌の運転手に熟知させることによって、交通事故などを回避し、通行人や運転手をはじめ、工事に携わる作業員や警備員などの生命・身体の安全を保護する必要がある。
（ロ）次に、道路工事などの現場があると、その付近の住民などは、通行の障害など、多少とも迷惑を蒙るものであるから、人々の心を和ませ、工事のイメージアップをはかる必要がある。
【課題を解決するための手段】
【０００５】  この考案が解決する手段は、次の通りである。
（イ）ドラム管（１）の内部に設置した送風機（７）から送り込んだ空気で膨らませる風船人形（２）を装備した、クッションドラムである。
（ロ）また、ドラム管（１）の内部に設置した送風機（７）をタイマーの操作により、送風の停止に応じて頭部を下げ、また、送風の再開に応じて頭部（３）を上げる動作を繰り返す風船人形（２）を装備した、クッションドラムである。
（ハ）更に、ドラム管（１）の内部に設置した送風機（７）をタイマー（１１）の操作により、送風の停止と再開に応じて頭部（３）を上下する動作を繰り返すときに音声を発する風船人形（２）を装備した、クッションドラムである。
（ハ）更に、ドラム管（１）の内部に設置した送風機（７）から送り込んだ空気で膨らませ、また、頭部（３）に内蔵した照明灯（１４）によって、夜間に頭部（３）を内照させる風船人形（２）を装備した、クッションドラムである。
【考案の効果】
【０００６】  この考案の効果は、次の通りである。
（イ）先ず、風船人形（２）は、単なるクッションドラムとは異なり、人目を引くことになる。この風船人形（２）が頭部（３）を上下しておじぎをしたり、また、その動作に応じて音声を発したり、更に、夜間に風船人形（２）の頭部（３）を内照させるならば、人の注目を大いに集め、その効果は大となる。
（ロ）したがって、通行人や車輌の運転手の注意を喚起するから、道路工事などの現場があることを熟知させることができる。これによって、交通事故などを回避し、通行人や運転手の生命・身体の安全を保護することになる。
（ハ）次に、風船人形（２）は、単なるクッションドラムと異なり、人々の心を和ませることになる。この風船人形（２）が頭部（３）を上下しておじぎをしたり、また、その動作に応じて音声を発したり、更に、夜間に風船人形（２）の頭部（３）を内照させるならば、人は思わずにっこりと頬を弛めることになる。
（ニ）したがって、道路工事の現場があることによって、通行の障害など、多少とも迷惑を蒙る付近の住民は、道路工事に対し悪いイメージを持たなくなり、工事のイメージアップをはかることになる。
【最良の実施例】
【０００７】  この考案の最良の実施例は、次の通りである。
（イ）ドラム管（１）の内側の底部に支持台（５）を固定し、支持台（５）の上にコンパネ板（６）を敷き、送風機（７）を設置する。ドラム管（１）の開口部に風船人形（２）を装備する。
（ロ）また、送風機（７）の稼動により、吸入口（８）から導入管（１０）を通して吸入した空気を、導入管（１０）を通して排出口（９）から、風船（２）に送る。これによって、風船人形（２）を膨らませる。
（ハ）更に、送風機（７）にタイマー（１１）を付け、これを操作すると、送風の停止と再開に応じて、風船人形（２）の頭部（３）を上下させ、人形におじぎを繰り返させるようにする。
（ニ）更に、この動作に伴って、風船人形（２）に内蔵した音声発生機（１３）が起動し、音声を発する。風船人形（２）の頭部（３）に照明灯（１４）を内蔵して、夜間に頭部（３）を内照させるようにする。
【実施例】
【０００８】  この考案の実施例は、次の通りである。
（イ）自動車の追突などの衝撃に耐え、人々の生命・身体の安全を保護するために、丈夫でかつ安定した素材が必要となる。そのために、強化プラスチックを素材とするドラム管（１）とする。
（ロ）このドラム管（１）の底部の外側にキャスター（１６）を付け、例えば、工事現場の最後尾など、任意の場所にドラム管（１）を移動し、また、キャスター（１６）にストッパーを設けその場所に固定できるようにする。
（ハ）ドラム管（１）の底部の内側にモルタル層（１５）をつくり、木製の支持台（５）２基をボルト（１８）で固定して置き、その上にコンパネ板（６）を敷き、送風機（７）を設置し、電気のコードをつなげる。
（ハ）ドラム管（１）の開口部に、キャラクター人形を現したゴム風船（２）を取り付ける。この風船人形（２）の両手に赤と白の手旗（４）を持たせる。
（ニ）送風機（７）の稼動により、吸入口（８）から導入管（１０）を通して空気を吸入し、その空気を導入管（１０）を通して排出口（９）から風船（２）に送り、風船人形（２）を膨らませる。
（ニ）送風機（７）にタイマー（１１）を設置し、これを稼動させる。送風機（７）の停止に応じて風船（２）に空気が送り込まれなくなり、空気が抜け、頭部（３）の前面に内蔵したウエイト（１８）の重さも加わり、頭部（３）が下がる。風船人形（２）がおじぎをする状態となる。
（ホ）時間の経過により、送風機（７）が再起動すると、送風の再開に応じて、風船人形（２）が膨らみ、頭部（３）が上がる。風船人形（２）が起き上がる状態となる。これらの動作が繰り返される。
（ヘ）風船人形（２）が頭部（３）を上下に動かすとき、これに応じて、例えば、「ご迷惑をかけます」、「ありがとうございます」などの音声を発する音声発生機（１３）を風船人形（２）の内部のフック（１２）に吊り下げる。
（ト）風船人形（２）の内部のフック（１２）から照明灯（１４）を吊り下げ、電気のコードをつなげ、夜間に人形（２）の頭部（３）を内照させるようにする。
【図面の簡単な説明】
【０００９】
【図１】  本考案の装置の正面図である。
【図２】  本考案の装置の側面図である。
【図３】  本考案の装置が機能した状態の図である。
【図４】  本考案の装置の断面図である。
【符号の説明】
【００１０】  １    ドラム管
２    風船人形
３    人形の頭部
４    手旗
５    支持台
６    コンパネ板
７    送風機
８    吸入口
９    排出口
１０    導入管
１１    タイマ−
１２    フック
１３    音声発生機
１４    照明灯
１５    モルタル
１６    キャスター
１７    ウエイト
１８    固定ボルト
【図１】
0003141424.tif 000003
【図２】
0003141424.tif 000004
【図３】
0003141424.tif 000005
【図４】
0003141424.tif 000006
【手続補正書】
【提出日】平成20年2月7日(2008.2.7)
【手続補正１】
【補正対象書類名】実用新案登録請求の範囲
【補正対象項目名】請求項２
【補正方法】変更
【補正の内容】
【請求項２】
ドラム管の内部に設置した送風機をタイマーの操作により、送風の停止に応じて頭部を下げ、また、送風の再開に応じて頭部を上げる動作を繰り返す風船人形を装備したことを特徴とする請求項１記載のクッションドラム。
【手続補正２】
【補正対象書類名】実用新案登録請求の範囲
【補正対象項目名】請求項３
【補正方法】変更
【補正の内容】
【請求項３】
ドラム管の内部に設置した送風機をタイマーの操作により、送風の停止と再開に応じて、頭部を上下する動作を繰り返すときに音声を発する風船人形を装備したことを特徴とする請求項１記載のクッションドラム。
【手続補正３】
【補正対象書類名】実用新案登録請求の範囲
【補正対象項目名】請求項４
【補正方法】変更
【補正の内容】
【請求項４】
ドラム管の内部に設置した送風機から送り込んだ空気で膨らませ、また、頭部に内臓した照明灯によって夜間に頭部を内照させる風船人形を装備したことを特徴とする請求項１記載のクッションドラム。